(57)【要約】【課題】噴射ノズルやボディに加えられた不用意な衝撃に起因したスピンエレメントの破損を防止する。【解決手段】操作レバーを複数回にわたって繰り返し牽曳して容器内の液体を吸引、加圧するポンプを備えたボディと、このボディにスピンエレメントを介して回動自在に保持され該ボディの送給経路を経て圧送された液体を外界に向けて噴出する噴射ノズルとを備えたトリガー式液体噴出器において、前記ボディから噴射ノズルに向けて差し渡され該噴射ノズルとボディとの境界部位でスピンエレメントの少なくとも上側領域を取り囲む衝撃緩和用のアッパーガイドを設ける。【選択図】        図１
2004230262.tif 000002
【特許請求の範囲】
【請求項１】
操作レバーを複数回にわたって繰り返し牽曳して容器内の液体を吸引、加圧するポンプを備えたボディと、このボディにスピンエレメントを介して回動自在に保持され該ボディの送給経路を経て圧送された液体を外界に向けて噴出する噴射ノズルとを備えたトリガー式液体噴出器であって、
前記ボディから噴射ノズルに向けて差し渡され該噴射ノズルとボディとの境界部位でスピンエレメントの少なくとも上側領域を取り囲む衝撃緩和用のアッパーガイドを設けたことを特徴とするトリガー式液体噴出器。
【請求項２】
操作レバーは、その基部で噴射ノズルに向けて片持ち支持され該噴射ノズルとボディとの境界部位でスピンエレメントの少なくとも下側領域を覆う衝撃緩和用のロアガイドを有する、請求項１記載のトリガー式液体噴出器。
【請求項３】
衝撃緩和用のロアガイドは、噴射ノズルの閉状態で該噴射ノズルの収納溝部に収められ操作レバーの牽曳を阻止するストッパーを構成する、請求項２記載のトリガー式液体噴出器。
【発明の詳細な説明】
【０００１】
【発明の属する技術分野】
本発明は、トリガー式液体噴出器に関するものであり、噴射ノズルやボディに加えられる不用意な衝撃に起因したスピンエレメント若しくは噴射ノズルの破損及び噴射ノズルの抜け出しを確実に防止するとともに、噴射ノズルが閉にあるときの操作レバーの牽曳を阻止し安全性のより一層の改善を図ろうとするものである。
【０００２】
【従来の技術】
黴び取り剤や洗剤、整髪剤、芳香剤等を入れた容器に用いられているトリガー式噴出器は、噴射ノズルを装着したボディに、液体の吸引、加圧、圧送を司るポンプ機構が組み込まれており、操作レバーの牽曳にてポンプ機構内のピストンをシリンダー内で往復動させることによって液体の効率的な排出を可能にしている。
【０００３】
上記構成部材のうち、噴射ノズルは、ボディの先端から突出させたスピンエレメント（突出エレメント、ノズル部材等）に嵌入保持されており、ボディの通路を経て圧送された液体はこのスピンエレメントを通過することによって良好な噴射形態（旋回流を形成する）となって噴射ノズルより噴出される（例えば、特許文献１、特許文献２参照）。
【０００４】
【特許文献１】
実公平７−１６０５２号公報
【０００５】
【特許文献２】
特開２０００−９３８５６号公報
【０００６】
ところで、この種の噴出器は、容器の落下等により噴射ノズルやボディに外部から不用意な衝撃が加えられた場合にスピンエレメントが該噴射ノズルとボディの境界部位で破損したり、嵌合部位から噴射ノズルが抜け落ちたりすることが懸念された。
【０００７】
【発明が解決しようとする課題】
本発明の課題は、容器の落下等によって噴射ノズルやボディに衝撃が加えられても該噴射ノズルを支えるスピンエレメント若しくは噴射ノズルが破損したり、噴射ノズルが抜け出したりするの回避するとともに、噴射ノズルの閉状態では、操作レバーの牽曳を阻止して安全性をより一層高めることができる液体噴出器を提案するところにある。
【０００８】
【課題を解決するための手段】
本発明は、操作レバーを複数回にわたって繰り返し牽曳して容器内の液体を吸引、加圧するポンプを備えたボディと、このボディにスピンエレメントを介して回動自在に保持され該ボディの送給経路を経て圧送された液体を外界に向けて噴出する噴射ノズルとを備えたトリガー式液体噴出器であって、
前記ボディから噴射ノズルに向けて差し渡され該噴射ノズルとボディとの境界部位でスピンエレメントの少なくとも上側領域を取り囲む衝撃緩和用のアッパーガイドを設けたことを特徴とするトリガー式液体噴出器であり、本発明においては、操作レバーの基部で噴射ノズルに向けて片持ち支持され該噴射ノズルとボディとの境界部位でスピンエレメントの少なくとも下側領域を覆う衝撃緩和用のロアガイドを設けることが可能であり、この衝撃緩和用のロアガイドは噴射ノズルの閉状態で該噴射ノズルの収納溝部に収められ操作レバーの牽曳を阻止するストッパーを構成するのが好ましい。
【０００９】
【発明の実施の形態】
以下、図面を用いて本発明をより具体的に説明する。
【００１０】
図１は本発明に従うトリガー式噴出器の第１の実施の形態を噴射ノズルが開状態にある断面で示した図である。図において１は容器の口部に保持されるベースキャップ、２はベースキャップ１を回転可能に保持するボディである。このボディ２には、容器内の液体を吸引、加圧するポンプとしてのピストン２ａおよびシリンダ２ｂと、シリンダ２ｂにつながる送給経路２ｃ、液体の吸引、加圧に応じて選択的に開閉する逆止弁２ｄ、２ｅが設けられている。
【００１１】
また、３はボディ２に枢支軸を介して揺動可能に弾性支持される操作レバー、４は先端部を残してボディ１に嵌合保持されるスピンエレメント、５はスピンエレメント４の先端部で回動自在に嵌合保持され該ボディの送給経路を経て圧送された液体を外界に向けて噴出する噴射ノズル、６はボディ１から噴射ノズル５に向けて差し渡されそれらの境界部位でスピンエレメント４の少なくとも上側領域を取り囲む衝撃緩和用のアッパーガイド、７は操作レバー３の基部で噴射ノズル５に向けて片持ち支持されスピンエレメント４の少なくとも下側領域を覆う衝撃緩和用のロアガイド、８はボディ１をその全域にわたってほぼ取り囲むシュラウド、そして９は噴射ノズル５の外周壁に設けられた切り欠である。なお、図１において矢印は液体の噴射経路を示したものである。
【００１２】
図２にアッパーガイド６とロアガイド７の外観を模式的に示す。本実施の形態では、アッパーガイド６の上部に窓孔が設け、該窓孔にてスピンエレメント４を嵌合係止する構造として示したが、窓孔は、図３に示すようにアッパーガイド６の側壁にも設けることもでき、この場合には、スピンエレメント４はより強固に嵌合係止することが可能になる。
【００１３】
噴射ノズル５とボディ１の境界部位でアッパーガイド６とロアガイド７にてスピンエレメント４を取り囲むとともに噴射ノズル５の嵌合壁をスピンエレメント４とアッパーガイド６で挟み込むような構造とすることで、落下等によって噴射ノズル５あるいはボディ１に衝撃が加えられてもアッパーガイド６、ロアガイド７がそれぞれ衝撃を吸収することになり、スピンエレメント４若しくは噴射ノズル５が簡単に破損したり、嵌合部位が外れて噴射ノズル５が向け落ちるようなことはない。
【００１４】
図４は基本構造が上掲図１に示したものと同じであるが、噴射ノズル５の閉状態で操作レバー３の牽曳を阻止するストッパー機能を付加した第２の実施の形態を示した図である。噴射ノズル５を回転させて液体の流路を閉とした状態で操作レバー３に設けた衝撃緩和用のロアガイド７を噴射ノズル５の下部に設けた収納溝部５ａ内に収めることで操作レバー３のロアガイド７はストッパーとして機能しその牽曳が阻止される。
【００１５】
上掲図１では、アッパーガイド６はボディ１とは別体構造として示したが、成形上とくに問題がなければそれらを一体に成形することもでき、この点についてはとくに限定されない。
【００１６】
また、ロアガイド７については、操作レバー３の基部に設けた例で示したが、この場合、操作レバー３の牽曳に際してロアガイド７の先端が噴射ノズル５の外周壁に接触することが懸念されるので、該外周壁にはロアガイド７をかわすような切り欠９を設けておくのが好ましく、噴射ノズル５をスピンエレメント４の周りで回動させてノズルの開閉を行うものでは、ノズルの開状態で切り欠９が最も下側に位置するように設ける。
【００１７】
さらに、図示はしないが、ロアガイド７の有無にかかわらず、噴射ノズル５に凸部付きのノズル開閉用レバーを設けるか若しくは別途に形成され噴射ノズル５の外周に嵌合保持されるノズルカバーを配置しそのノズルカバーから一体的に延出する凸部付きのノズル開閉用レバーを設けて、噴射ノズル５の閉状態でノズル開閉用レバーの凸部をシリンダーやシュラウドあるいはボディの相互間に位置させて操作レバー３の牽曳を阻止するようにしてもよい。尚、噴射ノズル５の開閉操作の容易性のみを機能として追加したい場合には、上述のノズル開閉用レバーから追加ストッパーとして機能する凸部を削除した構成を選択することも可能である。
【００１８】
【発明の効果】
本発明によれば、落下や運搬中に衝撃が加えられても、その衝撃は衝撃緩和用のガイドによって緩和されるのでスピンエレメント若しくは噴射ノズルが簡単に破損したり、嵌合部分が外れて噴射ノズルが抜け出たりすることはない。
【００１９】
また、本発明によれば、噴射ノズルの閉状態で衝撃緩和用のロアガイドを噴射ノズルの収納溝部に収めることで該ロアガイドがストッパーとして機能するので操作レバーの牽曳を阻止することができ、安全性がより一層高められる。
【図面の簡単な説明】
【図１】本発明に従うトリガー式液体噴出器の第１の実施の形態を噴射ノズル開状態の断面で示した図である。
【図２】衝撃緩和用ガイドの外観を模式的に示した図である。
【図３】衝撃緩和用ロアガイドの他の実施の形態を示した図である。
【図４】本発明に従うトリガー式液体噴出器の第２の実施の形態を噴射ノズル閉状態の断面で示した図である。
【符号の説明】
１  ベースキャップ
２  ボディ
２ａ  ピストン
２ｂ  シリンダ
２ｃ  送給経路
２ｄ  逆止弁
２ｅ  逆止弁
３  操作レバー
４  スピンエレメント
５  噴射ノズル
５ａ  収納溝部
６  アッパーガイド
７  ロアガイド
８  シュラウド
９  切り欠
【図１】
2004230262.tif 000003
【図２】
2004230262.tif 000004
【図３】
2004230262.tif 000005
【図４】
2004230262.tif 000006